(57)【要約】【課題】使い勝手の良い粉ミルク用小分け袋１０を提供すること。【解決手段】硬質の帯片１６をシュート部１３の先端部裏側に取り付けることで、帯片１６を芯にしてシュート部１６と袋口１２端部を巻重ねることができる。巻重ねたシュート部１６と袋口１２端部が嵩張らないので、袋口１２を閉じるときにシュート部１３を切り離す必要がない。巻重ねたシュート部１３を接着剤層１７から引き剥がして巻解くとき、硬質で弾性を有する帯片１６が芯となるので、皺くちゃに成らない。このため、袋１０から粉ミルク２０を哺乳瓶２１に注ぐときに注ぎ口として用いることができる。従って、袋本体の下部を切り離して注ぎ口を形成する必要もないので、使い勝手が良い。【選択図】    図１
2004338783.tif 000002
【特許請求の範囲】
【請求項１】
軟質プラスチック製フィルムから成る粉ミルク用小分け袋であって、袋本体の裏面に袋口から延伸するシュート部を一体に設け、シュート部の先端部裏側に袋本体より硬質で弾性を有する帯片を取り付け、袋本体の表面の袋口下部に剥離シートで被覆した粘着剤層を設けたことを特徴とする粉ミルク用小分け袋。
【請求項２】
前記シュート部の先端部を裏側に折り返し、折り返し部の内側に前記帯片を挿入するを特徴とする請求項１に記載の粉ミルク用小分け袋。
【発明の詳細な説明】
【０００１】
【発明の属する技術分野】
本発明は粉ミルク用小分け袋に関する。
【０００２】
【従来の技術】
この種の小分け袋の一形式として、特開２００３−２６１９５号には、軟質プラスチック製フィルムから成り、袋本体の裏面に袋口から延伸するシュート部を一体に設けるとともにシュート部を本体から切り離すためのミシン目を形成し、袋本体の表面の袋口下部に剥離シートで覆われた粘着材層を設け、かつ袋本体の下部を先細り形状にして下端部を切り離すためのノッチを袋本体下部の側縁に形成したものが開示されている。
この粉ミルク用小分け袋に粉ミルクを充填するには、粉ミルクをシュート部に沿って滑らせながら袋本体中に注ぎ込み、粉ミルクを充填した後、ミシン目からシュート部を切り離して、袋口端部を巻重ね、巻重ねた袋口端部を粘着材層に接着して袋口を閉じる。そして、袋本体の下端部をノッチから切り離して注ぎ口を形成し、ここから粉ミルクを哺乳瓶に注ぐ。
【０００３】
【発明が解決しようとする課題】
上記した従来の粉ミルク用小分け袋は、シュート部を切り離して袋口端部を巻重ね、粘着材層で接着して袋口を閉じるが、袋口は軟質プラスチックシートが表裏２枚重なっているため、嵩張っている。そのため巻重ね難く、袋口を閉じのは容易でない。また、袋口を閉じるに先だってシュート部を切り離したり、粉ミルクを注ぐときにノッチから袋本体の下端部を切り離す必要があり、小分け袋として使い勝手が悪い。
本発明はかかる問題点に鑑み、使い勝手の良い粉ミルク用小分け袋を提供することを目的とする。
【０００４】
【課題を解決するための手段】
上記目的を達成するため本発明は、軟質プラスチック製フィルムから成る粉ミルク用小分け袋であって、袋本体の裏面に袋口から延伸するシュート部を一体に設け、シュート部の先端部裏側に袋本体より硬質で弾性を有する帯片を取り付け、袋本体の表面の袋口下部に剥離シートで被覆した粘着剤層を設けたことを特徴とする。
そして、好ましくは前記シュート部の先端部を裏側に折り返し、折り返し部の内側に前記帯片を挿入する。
【０００５】
【発明の作用・効果】
本発明に係る粉ミルク用小分け袋の使用方法は、袋口を開き、粉ミルクをシュート部に沿って滑らせながら袋中に注ぎ込み、所要量の粉ミルクを充填する。ついで、硬質の帯材を芯にして帯片を巻き込むようにシュート部を表側へ巻重ね、袋口も巻き込み、剥離を剥がした粘着剤層に巻重ね部を接着して袋口を閉じる。
外出先で粉ミルクを哺乳瓶に充填するには、接着剤層に接着した巻重ね部を引き剥がして巻解き、シュート部を広げて緩やかに撓ませ、袋の中の粉ミルクをシュート部に沿って滑らせながら、哺乳瓶に注ぎ入れる。
本発明によれば、硬質の帯片をシュート部の先端部裏側に取り付けたので、この帯片を芯にしてシュート部と袋口端部を巻重ねることができる。従って、巻重ね易く、かつ巻重ねたシュート部と袋口端部が嵩張らないので、袋口を閉じるときにシュート部を切り離す必要がない。また、巻重ねたシュート部を接着剤層から引き剥がして巻解くとき、硬質で弾性を有する帯片が芯となるので、皺くちゃに成らない。このため、袋から粉ミルクを哺乳瓶に注ぐときに巻解いたシュート部を注ぎ口として用いることができる。従って、袋本体の下部を切り離して注ぎ口を形成する必要もないので、使い勝手が良い。
また、シュート部先端の折り返し部に硬質帯片を挿入すれば、簡単に帯び片を取り付けることができ、帯片の接着工程を省略できる。このため製造コストを低減できる。
【０００６】
【発明の実施の形態】
以下に本発明を図面に基づき説明するに、図１及び図２には本発明の一実施形態に係る粉ミルク用小分け袋１０が示されている。当該粉ミルク用小分け袋１０はポリプロピレン等の透明な軟質プラスチックフィルムシートを所要寸法に裁断して二つ折りにし、表裏両面の左右両端部１１を熱溶着して、上端を袋口１２にした扁平な長方形に成形されている。
【０００７】
袋本体の裏面は袋口１２から延伸してシュート部１３を形成し、シュート部１３の先端は裏側へ折り曲げられ、折り曲げ部の左右両端部１４が熱溶着されてシュート部１３の裏側に収納部１５を形成している。この収納部１５には袋本体を構成するフィルムシートより硬質で弾性を有するプラスチックから成る長方形の帯片１６が挿入されている。
【０００８】
袋本体の袋口１２下方の表面には袋口１２と平行に粘着剤を塗布して粘着剤層１７が形成され、粘着剤層１７に薄いプラスチック製の剥離シート１８が被着されている。
【０００９】
本実施形態に係る粉ミルク用小分け袋１０の構造は以上の通りであって、外出先に粉ミルクを携帯するとき等、図３に示すように小分け袋１０の袋口１２を開き、粉ミルク２０をシュート部１３に沿って滑らせながら袋中に注ぎ込み、所要量の粉ミルク２０を充填する。ついで、図４に示すように、硬質の帯片１６を芯にして帯片１６を巻き込むようにシュート部１３を表側へ巻重ね、袋口１２も巻き込み、剥離シート１８を剥がした粘着剤層１７に巻重ね部を接着して袋口１２を閉じる。
【００１０】
外出先で粉ミルク２０を哺乳瓶２１に充填するには、接着剤層１７に接着した巻重ね部を引き剥がして巻解き、図５に示すようにシュート部１３を広げて緩やかに撓ませ、袋１０の中の粉ミルク２０をシュート部１７に沿って滑らせながら、哺乳瓶２１に注ぎ入れる。
【００１１】
本実施形態に係る粉ミルク用小分け袋１０は、硬質の帯片１６をシュート部１３の先端部裏側に取り付けたので、この帯片１６を芯にしてシュート部１６と袋口１２端部を巻重ねることができる。従って、巻重ねたシュート部１６と袋口１２端部が嵩張らないので、袋口１２を閉じるときにシュート部１３を切り離す必要がない。また、巻重ねたシュート部１３を接着剤層１７から引き剥がして巻解くとき、硬質で弾性を有する帯片１６が芯となるので、皺くちゃに成らない。このため、袋１０から粉ミルク２０を哺乳瓶２１に注ぐときに注ぎ口として用いることができる。従って、袋本体の下部を切り離して注ぎ口を形成する必要もないので、使い勝手が良い。
【００１２】
シュート部１３先端の折り返し収納部１５に硬質帯片１６を挿入するようにしたので、簡単に帯片１６をシュート部１３に取り付けることができ、帯片ぬおの接着工程を省略できる。このため製造コストを低減できる。
【図面の簡単な説明】
【図１】本発明の一実施形態に係る粉ミルク用小分け袋を示す斜視図である。
【図２】同粉ミルク用小分け袋を示す中央部縦断断面図である。
【図３】同粉ミルク用小分け袋への粉ミルクの入れ方を示す斜視図である。
【図４】同粉ミルク用小分け袋の袋口の閉じ方を示す斜視図である。
【図５】同粉ミルク用小分け袋からの粉ミルクの取り出し方を示す斜視図である。
【符号の説明】
１０…粉ミルク用小分け袋、１２…袋口、１３…シュート部、１５…折り返し収納部、１６…帯片、１７…粘着剤層、１８…剥離シート。
【図１】
2004338783.tif 000003
【図２】
2004338783.tif 000004
【図３】
2004338783.tif 000005
【図４】
2004338783.tif 000006
【図５】
2004338783.tif 000007